【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
独立に点灯を制御可能な複数のブロックからなる発光手段と、
前記複数のブロックの各々に対応する複数の分割エリアからなる透過型の表示パネルと、
前記発光手段の消費電力を取得する第１取得手段と、
前記発光手段及び前記表示パネルを制御する制御手段と、
を備える画像表示装置であって、
前記制御手段は、
前記発光手段の消費電力が所定の閾値を超える場合に、前記発光手段の消費電力が前記閾値以下となる範囲内で点灯可能なブロックの数と同数の分割エリアからなる前記表示パネル上の矩形領域を点灯領域として決定する第１決定手段と、
前記複数のブロックのうち、点灯領域を構成する分割エリアに対応するブロックを点灯させ、それ以外のブロックを消灯させる第１制御手段と、
入力する画像信号に基づく画像を、前記表示パネルにおける前記点灯領域に表示させる第２制御手段と、を含み、
前記第１決定手段は、
前記点灯可能なブロックの数と同数の分割エリアからなる矩形領域が前記表示パネル上に複数通り設定可能な場合、当該設定可能な複数通りの矩形領域の各々を点灯領域候補とし、
点灯領域候補毎に、点灯領域候補に対応するブロックを点灯させたときの前記発光手段の消費電力を取得し、
取得した消費電力が最も低かった点灯領域候補を点灯領域として決定することを特徴とする画像表示装置。
【請求項２】
前記第１決定手段は、前記発光手段の消費電力が前記閾値以下となる範囲内で点灯可能なブロックの最大値に最も近い数と同数の分割エリアからなる矩形領域を点灯領域として決定する請求項１に記載の画像表示装置。
【請求項３】
独立に点灯を制御可能な複数のブロックからなる発光手段と、
前記複数のブロックの各々に対応する複数の分割エリアからなる透過型の表示パネルと、
前記発光手段のブロック毎の消費電力を取得する第１取得手段と、
前記発光手段及び前記表示パネルを制御する制御手段と、
を備える画像表示装置であって、
前記制御手段は、
複数のブロックのうちに、消費電力が所定の閾値を超える第１ブロックがある場合に、当該第１ブロックに対応する分割エリアを含まない１以上の分割エリアからなる前記表示パネル上の矩形領域を点灯領域として決定する第１決定手段と、
前記複数のブロックのうち、点灯領域を構成する分割エリアに対応するブロックを点灯させ、第１ブロックを消灯させる第１制御手段と、
入力する画像信号に基づく画像を、前記表示パネルにおける前記点灯領域に表示させる第２制御手段と、を含み、
前記第１決定手段は、
前記第１ブロックに対応する分割エリアを含まない１以上の分割エリアからなる矩形領域が前記表示パネル上に複数通り設定可能な場合、当該設定可能な複数通りの矩形領域の各々を点灯領域候補とし、
点灯領域候補毎に、点灯領域候補に対応するブロックを点灯させたときの前記発光手段の消費電力を取得し、
取得した消費電力が最も低かった点灯領域候補を点灯領域として決定することを特徴とする画像表示装置。
【請求項４】
前記第１決定手段は、前記第１ブロックに対応する分割エリアを含まない１以上の分割エリアからなる最大の矩形領域を点灯領域とする請求項３に記載の画像表示装置。
【請求項５】
前記第１制御手段は、前記点灯領域を構成する分割エリアに対応するブロック及び第１ブロック以外のブロックを消灯させる請求項３又は４に記載の画像表示装置。
【請求項６】
前記第１制御手段は、前記点灯領域を構成する分割エリアに対応するブロック及び第１ブロック以外のブロックを点灯させ、
前記第２制御手段は、前記点灯領域を構成する分割エリアに対応するブロック及び第１ブロック以外のブロックに対応する分割エリアに、入力する画像信号に基づく画像以外の所定の画像を表示させる請求項３又は４に記載の画像表示装置。
【請求項７】
前記発光手段に電力を供給するバッテリーの残量に応じて前記閾値を可変させる第２決定手段を備える請求項１〜６のいずれか１項に記載の画像表示装置。
【請求項８】
ユーザによる画像表示装置への指示を入力するための操作を受け付ける操作部を備え、
前記操作部において、前記表示パネルに画像を全画面表示する指示が入力された場合、前記第１制御手段は前記第１ブロックを含む全てのブロックを点灯させ、前記第１決定手段は前記表示パネルの全表示領域を点灯領域として決定する請求項３〜７のいずれか１項に記載の画像表示装置。
【請求項９】
前記表示パネルの輝度の設定値と、ブロック１個あたりの消費電力と、の対応関係を記憶する記憶手段を備え、
前記第１決定手段は、前記表示パネルの輝度の設定値に応じたブロック１個あたりの消費電力に基づいて、前記発光手段の消費電力が前記閾値以下となる範囲内で点灯可能なブロックの数を算出する請求項１〜８のいずれか１項に記載の画像表示装置。
【請求項１０】
前記第１決定手段は、前記第１取得手段により取得される前記発光手段の消費電力を、当該消費電力が取得されたときに点灯していたブロックの数で除して、当該消費電力が取得されたときの前記表示パネルの輝度の設定値に応じたブロック１個あたりの平均消費電
力を算出し、算出した平均消費電力に基づいて、前記発光手段の消費電力が前記閾値以下となる範囲内で点灯可能なブロックの数を算出する請求項１〜８のいずれか１項に記載の画像表示装置。
【請求項１１】
ユーザによる画像表示装置への指示を入力するための操作を受け付ける操作部を備え、
前記操作部において前記表示パネルの輝度の設定値を変更する指示が入力された場合に、前記制御手段は前記点灯領域を決定する処理及び点灯領域に応じたブロック毎の点灯及び消灯を決定する処理を行う請求項１〜１０のいずれか１項に記載の画像表示装置。
【請求項１２】
画像表示装置の周囲の環境光の明るさを検出するセンサと、前記センサによる検出値に応じて前記表示パネルの輝度の設定値を変更する第３制御手段と、を備え、前記第３制御手段により前記表示パネルの輝度の設定値が変更された場合に、前記制御手段は前記点灯領域を決定する処理及び点灯領域に応じたブロック毎の点灯及び消灯を決定する処理を行う請求項１〜１０のいずれか１項に記載の画像表示装置。
【請求項１３】
請求項１〜１２のいずれか１項に記載の画像表示装置と、
前記画像表示装置へ画像信号を出力する画像出力装置と、
からなる画像表示システムであって、
前記画像表示装置は、
前記画像出力装置からの画像信号を入力する入力手段と、
前記第１決定手段により決定された点灯領域の横方向及び縦方向の画素数の情報を前記画像出力装置へ送信する送信手段と、を備え、
前記画像出力装置は、
前記画像表示装置から前記点灯領域の横方向及び縦方向の画素数の情報を取得する第２取得手段と、
横方向の画素数が前記点灯領域の横方向の画素数以下、かつ、縦方向の画素数が前記点灯領域の縦方向の画素数以下である画像の画像信号を出力する出力手段と、を備えることを特徴とする画像表示システム。
【請求項１４】
独立に点灯を制御可能な複数のブロックからなる発光手段と、
前記複数のブロックの各々に対応する複数の分割エリアからなる透過型の表示パネルと、
を備える画像表示装置の制御方法であって、
前記発光手段の消費電力を取得する第１取得工程と、
前記発光手段の消費電力が所定の閾値を超える場合に、前記発光手段の消費電力が前記閾値以下となる範囲内で点灯可能なブロックの数と同数の分割エリアからなる前記表示パネル上の矩形領域を点灯領域として決定する第１決定工程と、
前記複数のブロックのうち、点灯領域を構成する分割エリアに対応するブロックを点灯させ、それ以外のブロックを消灯させる第１制御工程と、
入力する画像信号に基づく画像を、前記表示パネルにおける前記点灯領域に表示させる第２制御工程と、
を有し、
前記第１決定工程は、
前記点灯可能なブロックの数と同数の分割エリアからなる矩形領域が前記表示パネル上に複数通り設定可能な場合、当該設定可能な複数通りの矩形領域の各々を点灯領域候補とする工程と、
点灯領域候補毎に、点灯領域候補に対応するブロックを点灯させたときの前記発光手段の消費電力を取得する工程と、
取得した消費電力が最も低かった点灯領域候補を点灯領域として決定する工程と、
を有することを特徴とする画像表示装置の制御方法。
【請求項１５】
独立に点灯を制御可能な複数のブロックからなる発光手段と、
前記複数のブロックの各々に対応する複数の分割エリアからなる透過型の表示パネルと、
を備える画像表示装置の制御方法であって、
前記発光手段のブロック毎の消費電力を取得する第１取得工程と、
複数のブロックのうちに、消費電力が所定の閾値を超える第１ブロックがある場合に、当該第１ブロックに対応する分割エリアを含まない１以上の分割エリアからなる前記表示パネル上の矩形領域を点灯領域として決定する第１決定工程と、
前記複数のブロックのうち、点灯領域を構成する分割エリアに対応するブロックを点灯させ、第１ブロックを消灯させる第１制御工程と、
入力する画像信号に基づく画像を、前記表示パネルにおける前記点灯領域に表示させる第２制御工程と、
を有し、
前記第１決定工程は、
前記第１ブロックに対応する分割エリアを含まない１以上の分割エリアからなる矩形領域が前記表示パネル上に複数通り設定可能な場合、当該設定可能な複数通りの矩形領域の各々を点灯領域候補とする工程と、
点灯領域候補毎に、点灯領域候補に対応するブロックを点灯させたときの前記発光手段の消費電力を取得する工程と、
取得した消費電力が最も低かった点灯領域候補を点灯領域として決定する工程と、
を含むことを特徴とする画像表示装置の制御方法。
【手続補正２】
【補正対象書類名】明細書
【補正対象項目名】０００６
【補正方法】変更
【補正の内容】
【０００６】
本発明は、独立に点灯を制御可能な複数のブロックからなる発光手段と、
前記複数のブロックの各々に対応する複数の分割エリアからなる透過型の表示パネルと、
前記発光手段の消費電力を取得する第１取得手段と、
前記発光手段及び前記表示パネルを制御する制御手段と、
を備える画像表示装置であって、
前記制御手段は、
前記発光手段の消費電力が所定の閾値を超える場合に、前記発光手段の消費電力が前記閾値以下となる範囲内で点灯可能なブロックの数と同数の分割エリアからなる前記表示パネル上の矩形領域を点灯領域として決定する第１決定手段と、
前記複数のブロックのうち、点灯領域を構成する分割エリアに対応するブロックを点灯させ、それ以外のブロックを消灯させる第１制御手段と、
入力する画像信号に基づく画像を、前記表示パネルにおける前記点灯領域に表示させる第２制御手段と、を含み、
前記第１決定手段は、
前記点灯可能なブロックの数と同数の分割エリアからなる矩形領域が前記表示パネル上に複数通り設定可能な場合、当該設定可能な複数通りの矩形領域の各々を点灯領域候補とし、
点灯領域候補毎に、点灯領域候補に対応するブロックを点灯させたときの前記発光手段の消費電力を取得し、
取得した消費電力が最も低かった点灯領域候補を点灯領域として決定することを特徴と
する画像表示装置である。
【手続補正３】
【補正対象書類名】明細書
【補正対象項目名】０００７
【補正方法】変更
【補正の内容】
【０００７】
本発明は、独立に点灯を制御可能な複数のブロックからなる発光手段と、
前記複数のブロックの各々に対応する複数の分割エリアからなる透過型の表示パネルと、
前記発光手段のブロック毎の消費電力を取得する第１取得手段と、
前記発光手段及び前記表示パネルを制御する制御手段と、
を備える画像表示装置であって、
前記制御手段は、
複数のブロックのうちに、消費電力が所定の閾値を超える第１ブロックがある場合に、当該第１ブロックに対応する分割エリアを含まない１以上の分割エリアからなる前記表示パネル上の矩形領域を点灯領域として決定する第１決定手段と、
前記複数のブロックのうち、点灯領域を構成する分割エリアに対応するブロックを点灯させ、第１ブロックを消灯させる第１制御手段と、
入力する画像信号に基づく画像を、前記表示パネルにおける前記点灯領域に表示させる第２制御手段と、を含み、
前記第１決定手段は、
前記第１ブロックに対応する分割エリアを含まない１以上の分割エリアからなる矩形領域が前記表示パネル上に複数通り設定可能な場合、当該設定可能な複数通りの矩形領域の各々を点灯領域候補とし、
点灯領域候補毎に、点灯領域候補に対応するブロックを点灯させたときの前記発光手段の消費電力を取得し、
取得した消費電力が最も低かった点灯領域候補を点灯領域として決定することを特徴とする画像表示装置である。
【手続補正４】
【補正対象書類名】明細書
【補正対象項目名】０００８
【補正方法】変更
【補正の内容】
【０００８】
本発明は、独立に点灯を制御可能な複数のブロックからなる発光手段と、
前記複数のブロックの各々に対応する複数の分割エリアからなる透過型の表示パネルと、
を備える画像表示装置の制御方法であって、
前記発光手段の消費電力を取得する第１取得工程と、
前記発光手段の消費電力が所定の閾値を超える場合に、前記発光手段の消費電力が前記閾値以下となる範囲内で点灯可能なブロックの数と同数の分割エリアからなる前記表示パネル上の矩形領域を点灯領域として決定する第１決定工程と、
前記複数のブロックのうち、点灯領域を構成する分割エリアに対応するブロックを点灯させ、それ以外のブロックを消灯させる第１制御工程と、
入力する画像信号に基づく画像を、前記表示パネルにおける前記点灯領域に表示させる第２制御工程と、
を有し、
前記第１決定工程は、
前記点灯可能なブロックの数と同数の分割エリアからなる矩形領域が前記表示パネル上に複数通り設定可能な場合、当該設定可能な複数通りの矩形領域の各々を点灯領域候補とする工程と、
点灯領域候補毎に、点灯領域候補に対応するブロックを点灯させたときの前記発光手段の消費電力を取得する工程と、
取得した消費電力が最も低かった点灯領域候補を点灯領域として決定する工程と、
を有することを特徴とする画像表示装置の制御方法である。
【手続補正５】
【補正対象書類名】明細書
【補正対象項目名】０００９
【補正方法】変更
【補正の内容】
【０００９】
本発明は、独立に点灯を制御可能な複数のブロックからなる発光手段と、
前記複数のブロックの各々に対応する複数の分割エリアからなる透過型の表示パネルと、
を備える画像表示装置の制御方法であって、
前記発光手段のブロック毎の消費電力を取得する第１取得工程と、
複数のブロックのうちに、消費電力が所定の閾値を超える第１ブロックがある場合に、当該第１ブロックに対応する分割エリアを含まない１以上の分割エリアからなる前記表示パネル上の矩形領域を点灯領域として決定する第１決定工程と、
前記複数のブロックのうち、点灯領域を構成する分割エリアに対応するブロックを点灯させ、第１ブロックを消灯させる第１制御工程と、
入力する画像信号に基づく画像を、前記表示パネルにおける前記点灯領域に表示させる第２制御工程と、
を有し、
前記第１決定工程は、
前記第１ブロックに対応する分割エリアを含まない１以上の分割エリアからなる矩形領域が前記表示パネル上に複数通り設定可能な場合、当該設定可能な複数通りの矩形領域の各々を点灯領域候補とする工程と、
点灯領域候補毎に、点灯領域候補に対応するブロックを点灯させたときの前記発光手段の消費電力を取得する工程と、
取得した消費電力が最も低かった点灯領域候補を点灯領域として決定する工程と、
を含むことを特徴とする画像表示装置の制御方法である。